(57)【要約】      （修正有）【課題】使い捨て用の紙コップや飲食用ナイフまたは箸等を内部に収容できるホルダーに、飲料ボトル等のキャップに嵌めて開栓できるキャップオープナーを設けることで、キャップオープナーと使い捨てコップ等を保持できるホルダーを別々に備える必要のないホルダー兼用キャップオープナーを提供する。【解決手段】上方開口部３を有する中空円錐状または中空円筒状の側壁部４と、該側壁部に連なる底部とから構成されるキャップオープナー本体２において、前記側壁部と底部５には中心軸に向かって係合口の内径が縮小する円錐テーパ状の内周面を有する係合孔が穿設され、該内周面には小突起が凸設されている。【選択図】図１
0003223007.tif 000002
【実用新案登録請求の範囲】
【請求項１】
上方開口部を有する中空円錐状または中空円筒状の側壁部と、該側壁部に連なる底部とから構成されるキャップオープナー本体において、前記側壁部と底部の外周面には中心軸に向かって係合口の内径が縮小する円錐テーパ状の内周面を有する係合孔が穿設され、該内周面には小突起が凸設されていることを特徴とするホルダー兼用キャップオープナー。
【請求項２】
前記底部の外周面の中心位置には、中心軸に向かって係合口の内径が縮小または拡大する円錐テーパ状の内周面を有する係合孔が穿設されていることを特徴とする請求項１に記載のホルダー兼用キャップオープナー。
【請求項３】
前記側壁部に穿設された前記係合孔は、該側壁部の略中央位置の周囲に複数個設けられ、該係合孔の係合口の径の大きさがそれぞれ異なることを特徴とする請求項１〜２のいずれかに記載のホルダー兼用キャップオープナー。
【請求項４】
前記側壁部と底部に穿設された係合孔の係合口の径の大きさがそれぞれ異なることを特徴とする請求項１〜３のいずれかに記載のホルダー兼用キャップオープナー。
【請求項５】
前記側壁部の外周面には、把手が設けられていることを特徴とする請求項１〜４のいずれかに記載のホルダー兼用キャップオープナー。
【請求項６】
前記キップオープナー本体は、合成樹脂素材から成形されていることを特徴とする請求項１〜５のいずれかに記載のホルダー兼用キャップオープナー。
【考案の詳細な説明】
【技術分野】
【０００１】
本考案は、水やコーヒその他の飲料や水等が封入されているペットボトル等の容器の口部キャップを開けるときに用いられるキャップオープナーに関し、一方、ホットコーヒーやジュース等を飲む際に、その飲料容器として用いられる使い捨てコップ等を内部に載置して保持するためのカップホルダーや、ナイフや箸等の飲食用具を収容できるホルダー兼用キャップオープナーに関する。
【背景技術】
【０００２】
近年、広く普及している市販のペットボトル飲料の内容物を封入する口部キャップには、合成樹脂製やスチール製のねじ式キャップが多く用いられ、一度開栓したら開栓がわかるようにキャップ下部にブリツジを破断するような構造になっている。この合成樹脂製等の口部キャップを開栓するためには、口部キャップを掌で握って一方向に強く回転させて開栓する方式が採用されている。しかし、この口部キャップは密閉のためにボトルの口部に強固に螺着されているため、素手では容易に開栓することが難しく、特に子供や老人には開栓が困難であった。口部キャップの外周側面には、指の滑りを防止するための縦筋等の滑り止め用の加工が施されてはいるが、女性や児童、老人など指の把持力の弱い者にとっては、口部キャップの径が小さい程、キャップをねじ切って開栓することが困難である。
【０００３】
従来、口部キャップの開栓には、ペットボトルの口を密閉している口部キャップに対してキャップオープナーを被せ、キャップオープナーを掌で回転させて、大きな回転力を口部キャップに与えてねじ切る方式がある（特許文献１）。また、口部キャップをキャップオープナーに形成された係合孔に挿入し密着させて、係合孔の一方向に形成された把持部を握って、一方向に回転させることにより大きな回転力を与えてねじ切る方式がある（特許文献２〜３）。
【０００４】
市販の飲料ボトルや飲料容器の口部キャップの外径の大きさは、それぞれ飲料容器の大小や容器の種類等により異なる。例えば市場で多く利用されているペットボトル５００ｍl容器と大容器である４Ｌ以上のペットボトル容器のキャップの外径の大きさは一般的に異なる。また小さい容器であるパウチ容器では、キャップの外径の大きさは逆に小さくなる。これら口部キャップの各種の大きさに適用するためには、それぞれに適したキヤップオープナーの形状や口部キャップを把持できる開栓用の把持手段が必要となる。
【０００５】
一方、市販されている飲料ボトルは外出先で購入して飲む機会が多いため、外出時に携帯できるキャップオープナーが提案されている。また、外出先や職場等では、コーヒやお茶等の飲料を入れるための使い捨てカップとして、その取扱いの簡便さから発泡スチロール製カップ等のプラスチック製カップや紙カップ等が広く普及しており、使用後は廃棄できる使い捨て式のものが多い。
これらペットボトル内の飲料水等を使い捨てカップに開けて飲む際には、ペットボトルのキャップを開栓できるキャップオープナーがあれば便利である。そのためには、予めキャップオープナーが備えてあるか、各自が携帯する必要がある。しかしキャップオープナーは、それ自体が嵩張り常時携帯するには一般的には煩わしい。
【０００６】
またキャップオープナーと組み合わせて一体的に利用できる飲料用カップが提案されている。（特許文献４）。これ自体は、それぞれ専用の飲料用カップとキャップオープナーが合体できるように構成されている。しかし、不特定多数の人が広く使用できるように、使い捨て用の飲料用カップ等を収容できるホルダーとして利用できるものではない。
【先行技術文献】
【特許文献】
【０００７】
【特許文献１】特許第５２４０３１号公報
【特許文献２】特開２００５−２６３２９０号公報
【特許文献３】特開２０１２−８１９７５号公報
【特許文献４】特開２０１０−９５３１２号公報
【考案の概要】
【考案が解決しようとする課題】
【０００８】
従来から提案されているキャップオープナーは、キャップオープナー専用の工具として構成されているものが大半である。一方、飲料専用カップとキャップオープナーを合体できるキャップオープナーが提案されてはいるが、個人専用の飲料コップとキャップオープナーを合体組合せして使用するものである。
本考案は、外出先や事務所等で広く用いられている使い捨てカップや飲食用ナイフ、箸等を内部に収容できるホルダーとしての機能とキャップオープナーを兼用することで、キャップオープナーと使い捨てカップや各種飲食用具等を収容できるホルダーを別々に準備する必要のない、新規なホルダー兼用キャップオープナーを提供することを目的としている。
【課題を解決するための手段】
【０００９】
本考案のうち請求項１の考案は、上方開口部を有する中空円錐状または中空円筒状の側壁部と、該側壁部に連なる底部とから構成されるキャップオープナー本体において、前記側壁部と底部の外周面には中心軸に向かって係合口の内径が縮小する円錐テーパ状の内周面を有する係合孔が穿設され、該内周面には小突起が凸設されていることを特徴としている。
【００１０】
本考案のうち請求項２の考案は、前記底部の外周面の中心位置には、中心軸に向かって係合口の内径が縮小または拡大する円錐テーパ状の内周面を有する係合孔が穿設されていることを特徴としている。
【００１１】
本考案のうち請求項３の考案は、前記側壁部に穿設された前記係合孔は、該側壁部の略中央位置の周囲に複数個設けられ、該係合孔の係合口の径の大きさがそれぞれ異なることを特徴としている。
【００１２】
本考案のうち請求項４の考案は、前記側壁部と底部に穿設された係合孔の係合口の径の大きさがそれぞれ異なることを特徴としている。
【００１３】
本考案のうち請求項５の考案は、前記側壁部の外周面には、把手が設けられていることを特徴としている。
【００１４】
本考案のうち請求項６の考案は、前記キップオープナー本体が合成樹脂素材から成形されていることを特徴としている。
【考案の効果】
【００１５】
本考案のうち請求項１の考案によれば、上方開口部を有する中空円錐状または中空円筒状の側壁部の外周面に、中心軸に向かって係合口の内径が縮小する円錐テーパ状の内周面を有する係合孔が穿設され、該内周面には小突起が凸設されていることにより、飲料ボトル等のキャップを係合孔に挿入してキャップオープー本体を回転することでキャップを容易に開栓することができると共に、キャップオープナー本体を利用して使い捨てコップ等を保持できる効果がある。
【００１６】
本考案の請求項２によれば、底部に穿設された係合孔は、底部の中心位置に設けられていることにより、キャップオープナー本体を正立または倒立した状態でボトルのキャップを安定的に回転して開栓できる。
【００１７】
本考案の請求項３と４によれば、側壁部や底部に穿設された係合孔の係合口の径の大きさがそれぞれ異なることにより、異なる大きさのボトルのキャップを容易に開栓することができる。
【００１８】
本考案の請求項５によれば、側壁部の外周面には、把手が設けられていることにより飲料用コップ等を把手を利用して保持することができる。
【００１９】
本考案の請求項６によれば、キップオープナー本体が合成樹脂素材から成形されていることにより安く大量に製造することができる。
【図面の簡単な説明】
【００２０】
【図１】本考案の第１実施例のホルダー兼用キャップオープナーの斜視図である。
【図２】図２（ａ）は、図１の平面図、図２（ｂ）は、図２（ａ）のＡ−Ａ線断面図である。
【図３】図３（ａ）と（ｂ）は、本考案の第１実施例のホルダー兼用キャップオープナーを用いてボトルのキャップをそれぞれ開栓する状態を示す図である。
【図４】図４（ａ）は、本考案の第１実施例のキャップオープナーを使い捨てカップホルダーとして使用する断面図、図４（ｂ）は飲食用具入れとしてそれぞれ使用する状態を示す正面図である。
【図５】本考案の第２実施例のホルダー兼用キャップオープナーを示し、使い捨てカップホルダーとして使用する状態を示す正面図である。
【考案を実施するための形態】
【００２１】
以下、本考案によるホルダー兼用キャップオープナーの第１および第２実施例を添付した図面に基づいて以下に説明する。
【実施例１】
【００２２】
図１乃至図４は、本考案の第１実施例を示す図である。図１は、本考案のホルダー兼用キャップオープナー１の斜視図であり、図２（ａ）は、図１のキャップオープナー１を上方から見た平面図である。図２（ｂ）は、図２（ａ）図のＡ−Ａ線断面図を示す。キャップオープナー１の全体を構成するキャップオープナー本体２は、合成樹脂素材により全体が一体的に成形されている。合成樹脂素材としては、成形加工の容易なポリスチレン、寸法精度の良好なポリカーボネート、又は耐熱性に優れたポリエチレンテレフタレートで成形してもよいが、成形加工性、耐久性及び弾力性が良好で且つ充分な強度を有するポリプロピレンが好ましい。なお、合成樹脂素材のほかアルミニウムやスチール等の金属又はセラミックス等で構成してもよい。
【００２３】
図１および図２に示すようにキャップオープナー１の全体は、上方が拡開し底部５は縮小した逆円錐形状を形成し、該キャップオープナー１の側壁部４の上縁部には、上方開口部３が開いている。側壁部４の底位置には、平坦な円形板状である底部５が固定されている。該底部５は、いわゆる茶碗等の高台の機能を有し、キャップオープナー１を卓上や台上に安定して置くことができる。前記側壁部４には、中心軸Ｌの内部に向かってボトルのキャップを挿入する係合口６，６’の内径が徐々に縮小する円錐テーパ状の内周面７，7’を有する第１係合孔８と第２係合孔９がそれぞれ穿設されている。該テーパ状の内周面７，7’には、中心軸Ｌに向かった縦筋状の小突起１１が中心軸Ｌ方向に向かつて連続的に凸設されている。
キャップＣを係合口６，６’から各第１係合孔８または第２係合孔９内に挿入して、ペットボトルＢのキャップＣを回転して開栓する。その際には、該小突起１１とキャップＣの外周刻みとの間に摩擦力を生じさせて、この摩擦力により各係合孔８、９とキャップＣとの回転ずれが防止できる。
なお、底部５の外周面にもキャップＣと係合する第３係合孔１０を穿設して、係合口6”から中心軸Ｌに向かつて拡大するテーパ状の内周面７”を形成しても良い。
【００２４】
前記側壁部４の外周面１１の縦方向の略中央位置に設けられた第１係合孔８と第２係合孔９は、それぞれ側壁部４の反対側に設けられている。該第１係合孔８と第２係合孔９の各係合口６と６’の内径の大きさは、市販のペットボトル飲料のキャップＣが挿入できるように設定されている。例えば一番小さな内径の第１係合口６は、内周面７の内径を１６ｍｍ〜１４ｍｍに形成している。それより大きい内径を有する第２係合口６’の内周面７’の大きさは、２９ｍｍ〜２７ｍｍ程度に形成している。
【００２５】
図２（ａ）、（ｂ）に示すように、側壁部４の底部５には第３係合孔１０が穿設されている。該第３係合孔１０の内周面７”には、キャップオープナー１の中心軸Ｌに向かって縮小する円錐テーパ状の内周面が形成され、該内周面７”には中心軸Ｌに向かう小突起１１が連続的に凸設されている。該第３係合孔10の入口部に設けられた係合口６”は、一番大きな外径のキャップＣが挿入できるように内周面７”の内径は、大ボトルキャップが係合できる３２ｍｍ〜３０ｍｍに形成されている。
【００２６】
図３（ａ）に示すように、小さなペットボトルＢ１または中程度のペットボトルＢ２ を一方の手で持ち、他方の手でキャップオープナー１を水平に保持し、小ペットボトルＢ１または中ペットボトルＢ２のキャップＣをキャップオープナー１の第１係合孔８の係合口６または第２係合孔９の係合口６’から挿入して、ペットボトルのキャップＣに刻設されている刻みと小突起１１を互いに噛み合わせる。その後、矢印Ｙに示す反時計方向にキャップオープナー１を水平回転させることで、ペットボトルのキャップＣを開栓する方向に回転することができる。このキャップオープナー１は、キャップＣの外径よりも十分に大きいので、握力が弱い子供や老人でも、容易にキャップＣを開栓することができる。
【００２７】
図３（ｂ）に示すように、大ペットボトルＢ３を一方の手で固定し、他方の手でキャップオープナー１を正立した状態で保持し、大ペットボトルＢ３のキャップＣをキャップオープナー１の第３係合孔１０の内部に装入して、大ペットボトルＢ３の刻みと第３係合孔１０の内周面に刻設された小突起１１を互いに噛み合わせる。その後、矢印Ｙに示す反時計方向にキャップオープナー１を回転させることで、大ペットボトルＢ３のキャップＣを開栓する方向に回転することができる。
このキャップオープナー１は、キャップＣの外径よりも大きいので、容易にキャップＣを開栓することができる。一方、図５に示す底部５の第３係合孔１０の、係合口6”から中心軸Ｌに向かつて拡大するテーパ状の内周面７”を形成した場合には、大ペットボトルＢ３を一方の手で固定し、他方の手でキャップオープナー１を逆さまに倒立した状態で保持して、大ペットボトルＢ３をキャップオープナー１の内部に被せた状態でキャップCと第３係合孔１０を係合させて開栓する。
【００２８】
図４（ａ）と（ｂ）に示す本考案のキャップオープナー１は、該キャップオープナー１を手で保持し、または卓上や台上等に置いて、例えば使い捨て飲料用カップＫや各種飲食用具Ｔ等を収容するホルダーとして使用している状態を示している。図４（ａ）は、コーヒやお茶等の飲料を注いで入れる使い捨て飲料用カップＫを、キャップオープナー１の上方開口部３から挿入してカップホルダーとして使用する状態を示している。ペットボトルＢのキャップＣをキャップオープナー１を使用して開栓した後、キャップオープナー１をカップホルダーとして利用している状態を示している。キャップオープナー１がカップホルダーの機能も有していることで、カップホルダーとキャップオープナー１を別々に用意する手間が省ける。
一方、図４（ｂ）は、キャップオープナー１を飲食用具Ｔの入れ物として利用している例を示している。食堂や台所では、箸やナイフまたはフォーク等の飲食用具Ｔを常備しておく必要がある。しかしボトルＢのキャップＣを開栓するキャップオープナー１を常備する家庭や事業所は比較的少ないのが現状である。本考案のキャップオープナー１は、使い捨てカップや各種飲食用具等を収納できるホルダーの機能を兼用できるために使い勝手が良い。
【実施例２】
【００２９】
図５は、本考案の第２実施例を示す図であり、第１実施例と同様の機能を有する部材には同じ引用数字を用いて詳細な説明は省略する。図５で示すキャップオープナー１の側壁部４は、中空円筒状の形状を有し、その外周面には把手１３が固定されている。該側壁部４の外周面には、キャップオープナー１の中心軸Ｌに向かって縮小する円錐テーパ状の内周面を有する第１係合孔８と中間の大きさの第２係合孔９が反対側の位置にそれぞれ穿設されている。側壁部４の下部の底部５の中心軸Ｌの位置には、大きな第３係合孔１０がやや上方内部に伸びた突起１４を貫通して穿孔されている。該第３係合孔１０には、係合口6”から中心軸Ｌに向かつて拡大するテーパ状の内周面７”が形成してある。
この場合には、大ペットボトルＢ３を一方の手で固定し、他方の手でキャップオープナー１を逆さまに倒立した状態で保持して、大ペットボトルＢ３をキャップオープナー１の内部に被せた状態でキャップCと第３係合孔１０を係合させて開栓する。前記突起１４の上部には、前記第３係合孔１０の内周面７”より大きい内径の凹部１５が形成されており、該凹部１５を利用して飲料用カップＫの底を安定して載置できる。
【００３０】
前記第３係合孔１０のテーパ状の内周面７”には中心軸Ｌに向かって小突起１１が連続的に凸設されている。ペットボトル飲料の口部キャップＣを係合口６”から挿入して回転させる際には、該小突起１１とキャップＣの刻みとの間に摩擦力が生じ、第３係合孔１０とキャップＣとの回転ずれを防止できる。実施例２のキャップオープナー１の側壁部４の外周面には、把手１３が固定されている。該把手１３をキャップオープナー１に設けることで、使い捨て飲料用カップＫ等を内部に保持して利用できるカップホルダーとして使用でき、ホルダーの使い勝手が良くなる。またキャップオープナー１を取り扱う場合にも、把手１３を設けることでより取扱い易くなる。
なお実施例１と２の側壁部４には、ボトルキャップを挿入する異なる径の係合孔を２個設けたが、ボトルキャップの外径の相違によって、それぞれ異なる径の係合口を有する係合孔を３個以上設けることも可能である。
【符号の説明】
【００３１】
１    キャップオープナー
２    キャップオープナー本体
３    上方開口部
４    側壁部
５    底部
６、６’、６”    係合口
７、７’、７”    内周面
８    第１係合孔
９    第２係合孔
１０    第３係合孔
１１    小突起
１３    把手
１４    突起
１５    凹部
Ｂ，B1,B2,B3    ペットボトル
Ｃ    キャップ
Ｋ    飲料用カップ
Ｌ    中心軸
Ｔ    飲食用具
【図１】
0003223007.tif 000003
【図２】
0003223007.tif 000004
【図３】
0003223007.tif 000005
【図４】
0003223007.tif 000006
【図５】
0003223007.tif 000007
【手続補正書】
【提出日】令和1年7月9日(2019.7.9)
【手続補正１】
【補正対象書類名】実用新案登録請求の範囲
【補正対象項目名】全文
【補正方法】変更
【補正の内容】
【実用新案登録請求の範囲】
【請求項１】
上方開口部を有する中空円錐状または中空円筒状の側壁部と、該側壁部に連なる底部とから構成されるキャップオープナー本体において、前記側壁部と底部には中心軸に向かって係合口の内径が縮小する円錐テーパ状の内周面を有する係合孔が穿設され、該内周面には小突起が凸設されていることを特徴とするホルダー兼用キャップオープナー。
【請求項２】
前記底部の中心位置には、中心軸に向かって係合口の内径が縮小または拡大する円錐テーパ状の内周面を有する係合孔が穿設されていることを特徴とする請求項１に記載のホルダー兼用キャップオープナー。
【請求項３】
前記側壁部に穿設された前記係合孔は、該側壁部の略中央位置の周囲に複数個設けられ、該係合孔の係合口の径の大きさがそれぞれ異なることを特徴とする請求項１〜２のいずれかに記載のホルダー兼用キャップオープナー。
【請求項４】
前記側壁部と底部に穿設された係合孔の係合口の径の大きさがそれぞれ異なることを特徴とする請求項１〜３のいずれかに記載のホルダー兼用キャップオープナー。
【請求項５】
前記側壁部の外周面には、把手が設けられていることを特徴とする請求項１〜４のいずれかに記載のホルダー兼用キャップオープナー。
【請求項６】
前記キャップオープナー本体は、合成樹脂素材から成形されていることを特徴とする請求項１〜５のいずれかに記載のホルダー兼用キャップオープナー。